(57)【要約】【課題】顧客の操作により、ＩＣカードに記憶された情報を他のＩＣカードへ移行させることができる自動取引装置を提供する。【解決手段】自動取引装置１にＩＣカードの記憶素子との間で情報の読み取りおよび書込みをするカードリーダ部１２と情報引継ぎ元ＩＣカードから読み取った情報の一部または全部を情報引継ぎ先ＩＣカードへ書き込む指示を前記カードリーダ部に出力するＩＣカード取引処理部を設けた。そして、カードリーダ部１２に挿入された情報引継ぎ元ＩＣカードから読み取った情報の一部または全部をカードリーダ部１２に挿入された情報引継ぎ先ＩＣカードへ書き込むようにした。【選択図】        図１
2007079926.tif 000002
【特許請求の範囲】
【請求項１】
顧客の操作を誘導する画面を表示部に表示するとともにその顧客の操作を操作部で受け付けて取引を行う自動取引装置において、
挿入されたＩＣカードの記憶素子との間で情報の読み取りおよび書込みをするカードリーダ部と、
情報引継ぎ元ＩＣカードから読み取った情報の一部または全部を情報引継ぎ先ＩＣカードへ書き込む指示を前記カードリーダ部に出力するＩＣカード取引処理部とを設け、
前記カードリーダ部に挿入された情報引継ぎ元ＩＣカードから読み取った情報の一部または全部を前記カードリーダ部に挿入された情報引継ぎ先ＩＣカードへ書き込むようにしたことを特徴とする自動取引装置。
【請求項２】
請求項１の自動取引装置において、
前記カードリーダ部に、挿入されたＩＣカードを退避するＩＣカード退避機構を設け、
挿入された前記情報引継ぎ元ＩＣカードから情報を読み取り記憶手段に記憶した後、該ＩＣカードを前記ＩＣカード退避機構に退避し、前記情報引継ぎ先ＩＣカードの挿入を受付け、前記記憶手段に記憶した情報の一部または全部を前記情報引継ぎ先ＩＣカードへ書き込むようにしたことを特徴とする自動取引装置。
【請求項３】
請求項１または請求項２の自動取引装置において、
前記情報引継ぎ先ＩＣカードへ書き込む情報の一部または全部を顧客の操作により選択できる選択釦を表示した画面を設けたことを特徴とする自動取引装置。
【請求項４】
請求項３の自動取引装置において、
前記情報引継ぎ先ＩＣカードへ書き込む情報を、取引履歴、振込先情報および依頼人情報としたことを特徴とする自動取引装置。
【発明の詳細な説明】
【技術分野】
【０００１】
本発明は、金融機関やコンビニエンスストア等に設置される自動取引装置に関し、特に、顧客の操作によりＩＣカードを使用して現金支払いや現金振込み等の取引を行う自動取引装置に関する。
【背景技術】
【０００２】
従来の自動取引装置は、金融機関等が発行したＩＣカードの記憶素子に顧客の口座番号等の口座情報や顧客が入力した振込先口座番号等の振込先情報等を記憶させ、その情報を使用して現金支払いや現金振込み等の取引を行い、顧客の操作負担を軽減させるようにしている。このＩＣカードの記憶素子には、通信回線で接続された勘定系ホストコンピュータや各種サーバ等の上位装置から受信した各種情報や顧客が自動取引装置で行った取引の履歴情報、顧客が自動取引装置で入力した振込先情報等が自動取引装置に備えたＩＣカード書込み機構等により書き込まれ記憶されるようにしている。
【０００３】
また、顧客に発行されたＩＣカードは有効期限が設けられているのが一般であるが、パーソナルコンピュータおよびＩＣカードリーダ等を使用して古いＩＣカードに記憶した情報の一部または全部を新たなＩＣカードにコピーしてＩＣカードの再発行を行うものがある（例えば、特許文献１参照）。
【特許文献１】特開平６−２３１３１２号公報（段落「００１２」〜段落「００１７」、図１）
【発明の開示】
【発明が解決しようとする課題】
【０００４】
しかしながら、上述した従来の技術においては、ＩＣカードを所持する顧客は、そのＩＣカードに記憶された取引履歴や振込先情報等を再発行されたＩＣカードや口座が異なる他のＩＣカードへ移行させることを希望する場合、ＩＣカードに記憶された情報を他のＩＣカードへ移行させることができるパーソナルコンピュータおよびＩＣカードリーダ等の特別な装置を用意する必要があり、容易にその情報の移行を行うことができないという問題がある。
【０００５】
本発明は、このような問題を解決することを課題とする。
【課題を解決するための手段】
【０００６】
そのため、本発明は、顧客の操作を誘導する画面を表示部に表示するとともにその顧客の操作を操作部で受け付けて取引を行う自動取引装置において、挿入されたＩＣカードの記憶素子との間で情報の読み取りおよび書込みをするカードリーダ部と、情報引継ぎ元ＩＣカードから読み取った情報の一部または全部を情報引継ぎ先ＩＣカードへ書き込む指示を前記カードリーダ部に出力するＩＣカード取引処理部とを設け、前記カードリーダ部に挿入された情報引継ぎ元ＩＣカードから読み取った情報の一部または全部を前記カードリーダ部に挿入された情報引継ぎ先ＩＣカードへ書き込むようにしたことを特徴とする。
【発明の効果】
【０００７】
このようにした本発明は、ＩＣカードを所持する顧客は、ＩＣカードに記憶された情報を他のＩＣカードへ移行させることができるパーソナルコンピュータおよびＩＣカードリーダ等の特別な装置を用意することなく、自動取引装置において顧客自身の操作により容易にＩＣカードに記憶された情報を他のＩＣカードへ移行させることができるという効果が得られる。
【発明を実施するための最良の形態】
【０００８】
以下、図面を参照して本発明による自動取引装置の実施例を説明する。
【実施例】
【０００９】
図１は実施例における自動取引装置の構成を示すブロック図、図２は実施例における自動取引システムの構成を示すブロック図、図３は実施例におけるＩＣカードが記憶する情報の構成を示す説明図である。
まず、自動取引システムの構成を説明する。
図２において、１は自動取引装置であり、銀行等の金融機関の店舗またはコンビニエンスストア等の店舗に設置されるものである。この自動取引装置１は顧客等の操作により現金引出しや現金入金および振込み等の取引ができるものである。また、通信回線２に通信可能に接続されている。
【００１０】
なお、この自動取引装置１は銀行等の金融機関の営業店に設置され、係員等の操作により現金引出しや現金入金および振込み等の取引を行うことができる窓口端末装置を含む概念である。
３はホストコンピュータであり、銀行等の金融機関の事務センタ等に設置されるものである。このホストコンピュータ３はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１１】
また、このホストコンピュータ３は自動取引装置１との間で現金引出し、現金入金、振込み等の取引電文の送受信を行い顧客の取引を成立させるか否かを判断するとともにその取引の処理を行う。また、顧客の口座番号と顧客の暗証番号等で本人であるか否かの本人確認も行なう。
４はＩＣカードであり、記憶素子を備えたものである。このＩＣカード４は顧客の口座情報等を記憶し、顧客が自動取引装置１において現金支払いや振込み等の取引を行うとき、記憶した口座情報等が読み出されるものである。また、ＩＣカード４は顧客が行なった取引の内容等を記録する取引履歴および顧客が振り込み取引において入力した振込先の金融機関名、支店名、口座番号、電話番号等の振込先情報等を記憶させることもできるものである。ＩＣカード４に記憶する情報の詳細は後述する。
【００１２】
なお、このＩＣカード４は接触型ＩＣカードまたは非接触型ＩＣカードのどちらであってもよく、また、記憶素子に加え磁気ストライプを備えたものであってもよい。
次に、自動取引装置の構成を説明する。
図１および図２において、１１は顧客操作表示部であり、タッチパネル等の操作部および液晶ディスプレイ等の表示部で構成されたものである。この顧客操作表示部１１はＣＲＴ（Ｃａｔｈｏｄｅ  Ｒａｙ  Ｔｕｂｅ）ディスプレイや液晶ディスプレイ等の表示部上にタッチパネルを配置し顧客が行なう入力操作等を検知するものであり、また、取引選択画面、顧客が選択した取引に対して顧客の入力操作等の誘導を行なう画面および入力された情報等を表示するものである。
【００１３】
１２はカードリーダプリンタ部であり、カード読取り書込み機構およびカード搬送機構等を備えたものである。このカードリーダプリンタ部１２は、顧客によりカード挿入返却口から挿入されたＩＣカード４の記憶素子等に記憶された口座番号等の口座情報等を読取る。口座番号等を読取ったＩＣカード４はカード挿入返却口から排出して顧客に返却する。このカード挿入返却口はＩＣカード４の挿入を検知する機構およびＩＣカード４の受取りを検知する機構を設けたものである。
【００１４】
また、このカードリーダプリンタ部１２は、ＩＣカード退避機構を備え、カード挿入返却口から挿入された１枚目のＩＣカード４に記憶された情報の読み取り等した後、そのＩＣカード４をＩＣカード退避機構へ搬送して退避させることにより、カード挿入返却口から２枚目のＩＣカード４の挿入を受け付け、その２枚目のＩＣカード４に記憶された情報の読み取りや情報の書込み等ができるものである。例えば、このＩＣカード退避機構は、カード挿入返却口とカード読取り書込み機構を結ぶカード搬送路の延長上の奥部に設けたものである。
【００１５】
さらに、カードリーダプリンタ部１２は、明細票印刷機構および明細票搬送機構等を備え、顧客の操作により行なった取引の内容を明細票に印刷し、その明細票を明細票搬送路により搬送して明細票排出口から排出し、顧客は排出された明細票を受取る。この明細票排出口は排出した明細票が受取られたことを検知する機構を設けたものである。
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１６】
この入出金口は挿入された紙幣ならびに硬貨を検知する機構および搬送された紙幣ならびに硬貨の受取りを検知する機構を設けたものである。
なお、入出金部１３は紙幣入出金機および硬貨入出金機で構成されたものに限られることなく、紙幣入出金機のみで構成されたものであってもよく、さらに、この入出金部１３を備えないものであってもよい。
【００１７】
１４は通帳部であり、通帳の磁気ストライプを読取りならびに書込みする機構、通帳搬送機構および通帳印刷機構等を備えたものである。この通帳部１４は通帳挿入返却口から挿入された通帳の磁気ストライプを読取り、また、顧客が行なった取引内容等を印刷し、通帳挿入返却口から排出する。この通帳挿入返却口は通帳の挿入を検知する機構および通帳の受取りを検知する機構を設けたものである。なお、この通帳部１４を備えないものであってもよい。
【００１８】
１５はジャーナルプリンタ部であり、連続紙印刷機構等を備えたものである。このジャーナルプリンタ部１５は顧客が行なう取引の内容や取引を行った日時等を連続紙等に印刷して記録しておくものである。
１６は記憶部であり、半導体メモリや磁気ディスク等で構成され情報を記憶し、記憶した情報を読取ることができるものである。この記憶部１６には自動取引装置１全体の動作を制御する制御プログラム（ソフトウェア）、顧客操作表示部１１に表示する画面データおよび顧客が行なう取引に必要な情報等を記憶する。
【００１９】
１７は制御部であり、ＣＰＵ等の演算および制御手段や図示しない記憶手段、通信回線２を介して接続されたホストコンピュータ３等との間で情報の送受信を行う通信手段および後述するＩＣカード取引処理部等で構成されたものである。この制御部１７は顧客操作表示部１１、カードリーダプリンタ部１２、入出金部１３、通帳部１４、ジャーナルプリンタ部１５および記憶部１６を含めて自動取引装置１全体の動作を記憶部１６に格納された制御プログラム（ソフトウェア）に基づいて制御する。
【００２０】
なお、制御部１７は日時や時刻等を計測する手段であるカレンダーおよび時計機能等も有している。
図１において、１７１はＩＣカード取引処理部であり、顧客の操作により行なうＩＣカードに記憶された情報を他のＩＣカードに移行させるＩＣカード情報引継ぎ等の取引の処理を行うものである。
【００２１】
次に、ＩＣカードに記憶する情報３０について説明する
図３において、３１は口座情報であり、金融機関コード３１１、店番１２３および口座番号３１３で構成された顧客が所有する口座に関する情報である。金融機関コード３１１は顧客が所有する口座の金融機関を識別するためのものであり、店番１２３は顧客が所有する口座の支店を識別するためのものであり、口座番号３１３は顧客が所有する口座を識別するためのものである。
【００２２】
３２は取引履歴情報であり、顧客が自動取引装置において取引を行った日時やその取引の内容等を記録したものである。この取引履歴情報３２は複数の取引履歴を記録できるものとする。
３３は振込先情報であり、金融機関３３１、支店３３２、口座番号３３３および電話番号３３４等で構成され、顧客が登録した振込先の情報を記録するものである。例えば、この振込先情報３３は、顧客が自動取引装置１で行なった振込取引で入力した振込先金融機関、支店名、口座番号および電話番号をそれぞれ金融機関３３１、支店３３２、口座番号３３３および電話番号３３４に記憶させたものである。この振込先情報３３も複数の金融機関３３１、支店３３２、口座番号３３３および電話番号３３４を記憶できるものとする。
【００２３】
３４は依頼人情報であり、振込依頼人の氏名、電話番号等で構成され、振込依頼人の情報を記録するものである。
なお、本実施例では、ＩＣカード４に口座情報３１、取引履歴情報３２、振込先情報３３および依頼人情報３４を記憶するようにしたが記憶する情報はこれに限られることなく、その他、顧客の生体情報等を記憶したものであってもよい。
上述した構成の作用について説明する。
【００２４】
なお、以下に説明する各部の動作は、図示しないメモリや磁気ディスク等の記憶手段に格納されたプログラム（ソフトウェア）に基づいて図示しない中央処理装置等の制御手段により制御される。
図４は実施例におけるＩＣカード取引の流れを示すフローチャートであり、図中Ｓで表すステップにしたがって説明する。
【００２５】
Ｓ１：図示しない自動取引装置１の近接センサにより顧客の接近を検知すると自動取引装置１の顧客操作表示部１１は図５に示すように「いらっしゃいませ」等の文言および「お引き出し」、「お預け入れ」、「お振り込み」、「カード暗証変更」、「残高照会」、「通帳記入」、「クレジット取引」、「ＩＣカード取引」５１等の取引選択ボタンから構成される取引選択画面を表示する。
【００２６】
Ｓ２：顧客操作表示部１１に取引選択画面が表示されると顧客は希望する取引に対応する取引選択ボタンを押下する。本実施例では、顧客により「ＩＣカード取引」５１の取引選択ボタンが押下されたものとする。
「ＩＣカード取引」５１の取引選択ボタンの押下を検知すると顧客操作表示部１１はＩＣカード取引処理部１７１の指示により図６に示すＩＣカード取引選択画面を表示する。このＩＣカード取引選択画面は「ご希望のＩＣカード取引を押してください。」等の文言および「取引内容確認」、「振込情報確認」、「ＩＣカード情報引継ぎ」６１等の選択ボタンで構成されたものである。本実施例では、「ＩＣカード情報引継ぎ」６１の選択ボタンが押下されたものとする。
【００２７】
Ｓ３：「ＩＣカード情報引継ぎ」６１ボタンの押下を検知すると顧客操作表示部１１はＩＣカード取引処理部１７１の指示により図７に示すＩＣカード挿入誘導画面を表示する。このＩＣカード挿入誘導画面は「情報引継ぎ元のＩＣカードを入れてください。」等の文言で構成され、顧客にＩＣカード４の挿入を促すものである。顧客はＩＣカード挿入誘導画面にしたがって所持している情報引継ぎ元のＩＣカード４をカード挿入排出口から挿入する。
【００２８】
Ｓ４：カードリーダプリンタ部１２は挿入されたＩＣカード４の記憶素子や磁気ストライプ等から口座番号等の口座情報を読取る。ＩＣカード４が挿入されると顧客操作表示部１１は図８に示す暗証番号入力画面を表示する。この暗証番号入力画面には「情報引継ぎ元ＩＣカードの暗証番号を入れてください。」等の文言および「１」から「９」および「０」ボタン等で構成される操作ボタンを表示する。顧客操作表示部１１が暗証番号入力画面を表示すると顧客は表示された操作ボタンを押下して暗証番号を入力する。顧客が暗証番号を入力すると制御部１７は通信手段を介してその暗証番号をＩＣカード４から読取った口座番号等とともにホストコンピュータ３へ送信する。このとき顧客操作表示部１１は図９に示す通信中画面を表示する。この通信中画面は「通信中  しばらくそのままでお待ちください。」等の文言で構成されるものである。
【００２９】
Ｓ５：ホストコンピュータ３は受信した顧客の口座番号等の口座情報に基づいて図示しない顧客データベースを検索して暗証番号を抽出し、受信した暗証番号と比較して一致するか否かの照合、すなわち、本人確認を行う。ホストコンピュータ３は通信部を介してその結果を自動取引装置１へ送信する。
なお、本人確認は暗証番号を使用したものに限られるものでなく、生体認証等を使用した本人確認であってもよい。
【００３０】
Ｓ６：本人確認の結果、本人であることが確認できるとカードリーダプリンタ部１２はＩＣカード取引処理部１７１の指示により情報引継ぎ元のＩＣカード４に記憶された取引履歴情報３２、振込先情報３３および依頼人情報３４等を読み取り、図示しない記憶部に記憶させた後、情報引継ぎ元のＩＣカード４をカード退避機構へ搬送し、情報引継ぎ先のＩＣカード４の挿入を待つ。一方、顧客操作表示部１１はＩＣカード取引処理部１７１の指示により図１０に示すＩＣカード挿入誘導画面を表示する。
【００３１】
このＩＣカード挿入誘導画面は「情報引継ぎ先のＩＣカードを入れてください。」等の文言で構成され、顧客にＩＣカード４の挿入を促すものである。顧客はＩＣカード挿入誘導画面にしたがって所持している情報引継ぎ先のＩＣカード４をカード挿入排出口から挿入する。
なお、情報引継ぎ元のＩＣカード４から読み取った取引履歴情報３２、振込先情報３３および依頼人情報３４等をＩＣカード取引処理部１７１が記憶部１６に記憶させるようにしてもよい。
【００３２】
Ｓ７：カードリーダプリンタ部１２は挿入されたＩＣカード４の記憶素子や磁気ストライプ等から口座番号等の口座情報を読取る。ＩＣカード４が挿入されると顧客操作表示部１１は図１１に示す暗証番号入力画面を表示する。この暗証番号入力画面には「情報引継ぎ先ＩＣカードの暗証番号を入れてください。」等の文言および「１」から「９」および「０」ボタン等で構成される操作ボタンを表示する。顧客操作表示部１１が暗証番号入力画面を表示すると顧客は表示された操作ボタンを押下して暗証番号を入力する。顧客が暗証番号を入力すると制御部１７は通信手段を介してその暗証番号をＩＣカード４から読取った口座番号等とともにホストコンピュータ３へ送信する。このとき顧客操作表示部１１は図９に示す通信中画面を表示する。この通信中画面は「通信中  しばらくそのままでお待ちください。」等の文言で構成されるものである。
【００３３】
Ｓ８：ホストコンピュータ３は受信した顧客の口座番号等の口座情報に基づいて図示しない顧客データベースを検索して暗証番号を抽出し、受信した暗証番号と比較して一致するか否かの照合、すなわち、本人確認を行う。ホストコンピュータ３は通信部を介してその結果を自動取引装置１へ送信する。
なお、本人確認は暗証番号を使用したものに限られるものでなく、生体認証等を使用した本人確認であってもよい。
【００３４】
Ｓ９：本人確認の結果、本人であることが確認できると顧客操作表示部１１はＩＣカード取引処理部１７１の指示により図１２に示す引継ぎデータ選択画面を表示する。この引継ぎデータ選択画面は「引き継ぐ情報を選択してください。」等の文言および「前取引履歴」、「取引履歴１ヵ月」、「取引履歴１週間」、「全情報」、「前振込先情報」１２１、「振込先情報選択」、「全依頼人情報」、「依頼人情報選択」等の選択ボタンで構成されたものである。本実施例では、「前振込先情報」１２１の選択ボタンが押下されたものとする。
【００３５】
Ｓ１０：「全振込先情報」１２１の選択ボタンが押下されたことを検知するとカードリーダプリンタ部１２はＩＣカード取引処理部１７１の指示により記憶部に記憶した振込先情報３３を情報引継ぎ先のＩＣカード４に書き込む。このとき顧客操作表示部１１は図１３に示す情報引継ぎ中画面を表示する。この情報引継ぎ中画面は「情報引継中  しばらくそのままでお待ちください。」等の文言を表示する。
【００３６】
Ｓ１１：振込先情報３３を情報引継ぎ先のＩＣカード４に書き込む処理が終了するとカードリーダプリンタ部１２はＩＣカード取引処理部１７１の指示により情報引継ぎ先のＩＣカード４をカード挿入排出口から排出して顧客に返却する。このとき、顧客操作表示部１１は図１４に示すＩＣカード返却画面を表示する。このＩＣカード返却画面は「情報引継ぎ先のＩＣカードをお受取りください。」等の文言で構成され、顧客に情報引継ぎ先のＩＣカード４の受取りを促す。
【００３７】
なお、上述した振込先情報３３を情報引継ぎ先のＩＣカード４に書き込む処理が終了したとき情報引継ぎ元のＩＣカード４の振込先情報３３を消去するようにしてもよい。
Ｓ１２：情報引継ぎ先のＩＣカード４が受取られたことを検知するとカードリーダプリンタ部１２はＩＣカード取引処理部１７１の指示により情報引継ぎ元のＩＣカード４をカード挿入排出口から排出して顧客に返却する。このとき、顧客操作表示部１１は図１５に示すＩＣカード返却画面を表示する。このＩＣカード返却画面は「情報引継ぎ元のＩＣカードをお受取りください。」等の文言で構成され、顧客に情報引継ぎ元のＩＣカード４の受取りを促す。
【００３８】
情報引継ぎ元のＩＣカード４が受取られたことを検知するとＩＣカード取引を終了する。
なお、本実施例では、２枚のＩＣカードの挿入を受け付けるカードリーダプリンタ部１２を１台備えた自動取引装置１で説明したが、情報引継ぎ元のＩＣカード４および情報引継ぎ先のＩＣカード４の２枚のＩＣカード４をそれぞれ別のカード挿入排出口から受け付けることができるようにカードリーダプリンタ部１２が２台備えられた自動取引装置１の構成であってもよい。
【００３９】
また、１枚のＩＣカードの挿入を受け付けるカードリーダプリンタ部１２を１台備え、情報引継ぎ元のＩＣカード４の挿入を受付け、記憶素子に記憶された情報を読み取った後、そのＩＣカード４を顧客に返却し、次に、情報引継ぎ先のＩＣカード４の挿入を受付け、情報引継ぎ元のＩＣカード４の記憶素子から読み取った情報を書き込むようにしてもよい。
【００４０】
以上説明したように、本実施例では、２枚以上のＩＣカードを所持する顧客は自動取引装置を使用して情報引継ぎ元のＩＣカードに記憶された情報を情報引継ぎ先のＩＣカードへ容易に移行させることができ、顧客の利便性が向上するという効果が得られる。
【図面の簡単な説明】
【００４１】
【図１】実施例における自動取引装置の構成を示すブロック図
【図２】実施例における自動取引システムの構成を示すブロック図
【図３】実施例におけるＩＣカードが記憶する情報の構成を示す説明図
【図４】実施例におけるＩＣカード取引の流れを示すフローチャート
【図５】実施例における取引選択画面を示す説明図
【図６】実施例におけるＩＣカード取引選択画面を示す説明図
【図７】実施例におけるＩＣカード挿入誘導画面を示す説明図
【図８】実施例における暗証番号入力画面を示す説明図
【図９】実施例における通信中画面を示す説明図
【図１０】実施例におけるＩＣカード挿入誘導画面を示す説明図
【図１１】実施例におけるＩＣカード挿入誘導画面を示す説明図
【図１２】実施例における引継ぎデータ選択画面を示す説明図
【図１３】実施例における情報引継ぎ中画面を示す説明図
【図１４】実施例におけるＩＣカード返却画面を示す説明図
【図１５】実施例におけるＩＣカード返却画面を示す説明図
【符号の説明】
【００４２】
１    自動取引装置
２    通信回線
３    ホストコンピュータ
４    ＩＣカード
１１  顧客操作表示部
１２  カードリーダプリンタ部
１３  入出金部
１４  通帳部
１５  ジャーナルプリンタ部
１６  記憶部
１７  制御部
【図１】
2007079926.tif 000003
【図２】
2007079926.tif 000004
【図３】
2007079926.tif 000005
【図４】
2007079926.tif 000006
【図５】
2007079926.tif 000007
【図６】
2007079926.tif 000008
【図７】
2007079926.tif 000009
【図８】
2007079926.tif 000010
【図９】
2007079926.tif 000011
【図１０】
2007079926.tif 000012
【図１１】
2007079926.tif 000013
【図１２】
2007079926.tif 000014
【図１３】
2007079926.tif 000015
【図１４】
2007079926.tif 000016
【図１５】
2007079926.tif 000017